(57)【要約】      （修正有）【課題】永久磁石を用いても、装飾性を高めることができるとともに、線状芯材に余計な緊張がかからず耐久性を向上させることができる装身具を提供する。【解決手段】装身具１は、形状記憶合金からなる線状芯材２と、線状芯材を挿通可能な貫通孔を有する筒状の永久磁石からなる磁石３と、磁石を挿入する収納孔を有すると共に線状芯材に挿通された筒状装飾部４と、線状芯材に挿通されて収納孔の前後の開口を塞ぐように配置される非磁性体からなる玉状装飾部６とからなる。【選択図】図１
0003206148.tif 000002
【実用新案登録請求の範囲】
【請求項１】
線状芯材と、該線状芯材に挿通可能な貫通孔を有する筒状の磁石と、該磁石を挿入する貫通孔からなる収納孔を有する筒状装飾部と、前記線状芯材に挿通されて収納孔の前後の開口を塞ぐように配置される非磁性体からなる玉状装飾部とからなることを特徴とする装身具。
【請求項２】
収納孔の開口と接する玉状装飾部の面が球面状となっていることを特徴とする請求項１に記載の装身具。
【請求項３】
収納孔に収納された磁石と収納孔の開口を塞ぐ玉状装飾部との間に線状芯材が撓みうる隙間が形成されていることを特徴とする請求項１または２に記載の装身具。
【請求項４】
線状芯材の延出方向の前後で並ぶ筒状装飾部間に介設される玉状装飾部の間に任意形状の中間装飾部が介設されてなることを特徴とする請求項１から３のいずれかに記載の装身具。
【考案の詳細な説明】
【技術分野】
【０００１】
本考案は、磁石を内蔵した筒状装飾部と、磁性を有しない玉状装飾部を交互につなげたネックレスその体の無端環状に連結して使用する装身具の改良に関する。
【背景技術】
【０００２】
従来、実用新案登録第３０４２１７３号の装飾体では、自然状態でコイル状に保形された弾性を有する所定長さの線材と、この線材を挿通可能な貫通孔を有する永久磁石でなる多数の吸着体と、上記線材を挿通可能な挿通孔を有する非磁性体でなる多数のスペーサとを備え、多数の上記吸着体の上記貫通孔に上記線材が挿通されてそれぞれの吸着体がその線材に回転可能に保持され、多数の上記スペーサの上記挿通孔に上記線材が挿通されてそれぞれのスペーサがその線材に保持されていると共に、上記線材の長手方向において上記吸着体と上記スペーサとが交互に配列されている構成が開示されている。
しかし、上記構成では吸着体が永久磁石からなるので、貴金属を用いることがきず、装飾性に欠ける欠点があった。
【０００３】
一方、特開２００７−１３５７３９号の装飾体では、柔軟性材料により構成されて捩りおよび湾曲ができる紐状のチューブと、このチューブ内の長さ方向に沿い軸方向端部が向き合う直列配置で挿入された複数の円柱形の金属製磁石と、前記チューブの外周面に設けられた外皮とを有し、前記各磁石のＮ極とＳ極とを円柱の互いに反対側の外周面に配置した構成が開示されている。
上記構成では、磁石は紐状のチューブに内蔵されるので、チューブに装飾性を持たせることができるが、金属製磁石を連続して直列配置すると相互の磁着力によりチューブに可撓性を持たせにくくなるので、例えば、磁石間にスペーサを挿入することで撓みやすくしている。
しかし、この場合、スペーサは磁石と同様に筒状にしてチューブ内に内蔵するので、磁石とスペーサはその外周面の姿勢がチューブによって規制する必要があり、チューブに負荷がかかる惧れがあった。
【先行技術文献】
【特許文献】
【０００４】
【特許文献１】実用新案登録第３０４２１７３号公報
【特許文献２】特開２００７−１３５７３９号公報
【考案の概要】
【考案が解決しようとする課題】
【０００５】
この考案は上記事情に鑑みて創案されたものであって、その解決しようとする課題は、磁石を筒状装飾部材に内蔵し、該筒状装飾部の開口を塞ぐ玉状装飾部を配置し、これらを形状記憶合金の線状芯材に通して繰り返し使用することができる装身具を提案した。
【課題を解決するための手段】
【０００６】
本考案は、上記課題を達成するために、
請求項１の考案では、
線状芯材と、該線状芯材を挿通可能な貫通孔を有する筒状の磁石と、該磁石を挿入する貫通孔からなる収納孔を有する筒状装飾部と、前記線状芯材に挿通されて収納孔の前後の開口を塞ぐように配置される非磁性体からなる玉状装飾部とからなることを特徴とする。
請求項２の考案では、
前記収納孔の開口と接する玉状装飾部の面が球面状となっていることを特徴とする。
請求項３の考案では、
収納孔に収納された磁石と収納孔の開口を塞ぐ玉状装飾部との間に線状芯材が撓みうる隙間が形成されていることを特徴とする。
請求項４の考案では、
線状芯材の延出方向の前後で並ぶ筒状装飾部間に介設される玉状装飾部の間に任意形状の中間装飾部が介設されてなることを特徴とする。
【考案の効果】
【０００７】
本考案の装身具は、永久磁石を用いても、筒状装飾部に内蔵することで、永久磁石は表面に露出しないので、筒状装飾部の素材やデザインを自由に選択することができ、装飾性を高めることができる。
また、前記筒状装飾部は、１または複数の玉状装飾部を介して次の筒状装飾部装飾部に連なるので、前後の筒状装飾部相互が磁石によって磁着してしまうことがなく、また玉状装飾部が関節として撓むことができるので、線状芯材に余計な緊張がかからず装身具の耐久性を向上させることができる。
【図面の簡単な説明】
【０００８】
【図１】実施例１の装身具の要部断面図である。
【図２】取付状態を示す説明図である。
【図３】湾曲状態を示す部分断面図である。
【図４】実施例２の装身具の要部断面図である。
【図５】湾曲状態を示す部分断面図である。
【図６】中間装飾部の異なる形状を示す要部断面図である。
【考案を実施するための形態】
【０００９】
以下にこの考案の好適実施例について図面を参照しながら説明する。
【実施例１】
【００１０】
本実施例の装身具１は、図１から図３に示すように、線状芯材２と、該線状芯材２に挿通可能な貫通孔を有する筒状の磁石３と、該磁石３を収納可能な大径の貫通孔からなる収納孔５を有すると共に前記線状芯材に挿通された筒状装飾部４と、前記収納孔５の開口５ａ、５ｂをそれぞれ塞ぐように配置される非磁性体からなる玉状装飾部６とからなっている。
【００１１】
［線状芯材］
本実施例では、線状芯材２は、テグス、ワイヤー、ヒモなどの細くて強度を有する素材が用いられるが、形状記憶合金のワイヤーやヒモ状の形状記憶ポリマーなどであってもよい。
この線状芯材２は、弾性や可撓性を有する素材が好ましいが、特に限定されない。
この線状芯材２の端部は、後述の磁石３または玉状装飾部６の貫通孔３ａ、６ａから抜け出ないようなストッパＳが形成される。
このストッパＳは、例えば端部となる玉状装飾部６に固着してもよい。
【００１２】
［磁石］
ここで磁石３は永久磁石を用いているが、この考案では磁着力を有するものであればよい。
この磁石３は、略筒状に形成されて、長手辺側を線状芯材２に沿うように延びており、略中央に線状芯材２を挿通させるための貫通孔３ａが穿設されている。
【００１３】
該貫通孔３ａに前記線状芯材２を通すことで、磁石３を線状芯材２の長手方向に沿って任意の位置まで摺動させることができる。
本実施例では、磁石３は、円筒状でも、角筒状でもよいが、後述の筒状装飾部４内に挿入するために、貫通孔３ａと交差する方向の断面は同一形状であることが好ましい。
【００１４】
［筒状装飾部］
筒状装飾部４は、前記線状芯材２が挿入されると共に、前記磁石３を内部に嵌合しうる大径の収納孔５を有している。
ここで、筒状装飾部４の大径の収納孔５は、前記磁石３が線状芯材２に沿って摺動し、内部に嵌合しうる貫通孔からなっている。
【００１５】
これにより、磁石３が筒状装飾部４の収納孔５内に嵌合すると、該収納孔５はその内部で磁石３が自由に移動しにくい形状となっている。
また、磁石３の長さは、その端部が前記筒状装飾部４の収納孔５に収納された際に、収納孔５の前後の開口５ａ、５ｂから外へ突出せずその内側に収納される長さに設定されている。
【００１６】
筒状装飾部４は、収納孔５が上記のように線状芯材２に沿ってスライドした磁石３を略隙間無く収納させるように形成されていればよく、その外表面側のデザインや形状は、磁石３の磁力が大きく損なわれず、重ね合わせた筒状装飾部４相互が磁着可能な形状に設定される。
また、筒状装飾部４の素材は、磁性体であっても非磁性体であってもよい。
非磁性体の場合は、前述のように筒状装飾部４を重ねた際に内蔵された磁石３相互によって磁着されるように厚みが設定されればよい。
【００１７】
［玉状装飾部］
次に、玉状装飾部６は、略球体からなっており、中央に前記線状芯材２を通す貫通孔６ａを穿設している。
この貫通孔６ａは前記磁石３の貫通孔３ａと略同じ断面に設定されている。
前記玉状装飾部６は、筒状装飾部４の収納孔５の前後の開口５ａ、５ｂより大径に形成されているので、玉状装飾部６が筒状装飾部４の内部に完全に挿入されることがない。
【００１８】
玉状装飾部６は、収納孔５の直径より大径で、その一部が前記開口５ａ、５ｂ内に挿入可能となっており、前記開口５ａ、５ｂを塞いで、磁石３が筒状装飾部４の収納孔５から抜け出ないように規制することができればよい。  
また、収納孔５に内蔵された磁石３と玉状装飾部６との間には隙間８が形成されることが好ましく、その隙間８を利用して線状芯材２を撓ませて装身具１をスムーズに湾曲させることができる（図３参照）。
【００１９】
玉状装飾部６は、例えば、ラグビーボールのような断面が楕円形状や、ミラーボールその他のボールのような断面が円形、楕円形の形状、あるいは断面が多角形状であってもよいが少なくとも端部が半球面状であることが好ましい。
また、線状芯材２方向の長さが長い場合には装身具１を湾曲させる場合にスムーズに湾曲させることができないので、球体に準じやや長い程度の長さに止まることが望ましい。
【００２０】
玉状装飾部６は、筒状装飾部４の収納孔５の前方の開口５ａまたは後方の開口５ｂを塞いで磁石３が収納孔５から抜け出ないように蓋として機能すると共に、磁石３と玉状装飾部６との間には隙間８が生じるように配置することで、前記開口５ａ、５ｂを塞いだ状態を維持しながら筒状装飾部４が玉状装飾部６を関節点として撓ませやすくなる。
この際に、玉状装飾部６は、その一部が収納孔５の開口５ａ、５ｂに入りうる径に設定されることが好ましい。
図示例では、玉状装飾部６は収納孔５より大径で、筒状装飾部４の直径以下の大きさとなっている。
【００２１】
このように筒状装飾部４の収納孔５の前後両側の開口５ａ、５ｂは玉状装飾部６の球面側が接して塞いでいる。
また、磁石３と玉状装飾部６との隙間８部分において線状芯材２を撓ませることができる。
【００２２】
そして、線状芯材２に沿って前後に隣接する筒状装飾部４間は、少なくとも１つ（本実施例では１つ）の玉状装飾部６が配置されて装身具１を形成している。
使用に際しては、装身具１の両端部を重ね合わせることで、任意の個所で重ね合わされた筒状装飾部４同士が磁着されて長さを調整することができる。
【実施例２】
【００２３】
玉状装飾部６は、１つであっても複数であってもよい。
図４から図５に示す装身具１は、前後の筒状装飾部４間に複数の玉状装飾部６を用いており、筒状装飾部４間が同じピッチになるように、同じ構成で同じ数の玉状装飾部６を配置している。
【００２４】
本実施例では、筒状装飾部４の収納孔５の開口５ａ、５ｂを塞ぐ玉状装飾部６は、前記開口５ａ、５ｂより大径で、筒状装飾部４の直径より僅かに小径な直径の玉状装飾部６を用いている。
【００２５】
玉状装飾部６を複数直列に並べる場合には、前記開口５ａ、５ｂを塞ぐ玉状装飾部６と、該玉状装飾部６間に挟まれる中間装飾部７とは、大きさが大きくても小さくてもよく、形状も任意のものを使用することができる。
本実施例では、玉状装飾部６にミラーボール形状の金（１８Ｋ）を用いており、中間装飾部７には、玉状装飾部６より大径の玉（例えば珊瑚玉）を用いている。
【００２６】
図６は、中間装飾部７’が玉状装飾部６とは別の形状であって、例えば、エメラルド、ルビー、サファイヤ、ダイヤなどの宝玉やその模造品を用いたビーズ形状や珠その他の任意の形状からなっている。
なお、図示例では中間装飾部７’は玉状装飾部６より縦幅が大きく横幅が短く設定された一例を示している。
【００２７】
また、本実施例の装身具１は、その端部側で重なる任意の筒状装飾部４を二重に重ねて磁着させ、磁石させた個所で筒状装飾部４を公知のＳ字状、または８字状の止め具に通すことで、無端環状に結束してもよい（図示せず）。
【００２８】
また、前記筒状装飾部４間に介設する玉状装飾部６および中間装飾部７、７’の数または全体の長さを揃えることで、装身具を２重ないし多重に重ねた際に重なり合う筒状装飾部４の位置を揃えて磁着させ、多重に巻いた小径のリングとして使用することもできる。
【００２９】
前述のように、玉状装飾部６と中間装飾部７、７’とを複数並べる場合には、それぞれがいずれも筒状装飾部４の線状芯材２の延出方向の長さより短く設定されているので、玉状装飾部６と中間装飾部７、７’間での屈曲は容易であり、装身具１をスムーズに湾曲させることができる（図５参照）。
本実施例では、上記構成に限定されるものではなく、要するに、この考案の要旨を変更しない範囲で種々設計変更することができる。
【符号の説明】
【００３０】
１    装身具
２    線状芯材
３    磁石
３ａ  貫通孔
４    筒状装飾部
５    収納孔
５ａ、５ｂ  開口
６    玉状装飾部
６ａ  貫通孔
７、７’中間の玉状装飾部
８    隙間
【図１】
0003206148.tif 000003
【図２】
0003206148.tif 000004
【図３】
0003206148.tif 000005
【図４】
0003206148.tif 000006
【図５】
0003206148.tif 000007
【図６】
0003206148.tif 000008